(57)【要約】【課題】  第１本体と第２本体間のヒンジ部内部の回路接続構造を改善してＦＰＣＢの破損又は損傷を防止することにより、製品に対する信頼性を確保することができる移動通信端末機の回路接続装置及びその回路接続装置を備えた移動通信端末機を提供する。【解決手段】  移動通信端末機の回路接続装置は、第１本体と第２本体間のヒンジ部の内部に固定される固定部材と、前記ヒンジ部の内部に設置され、前記固定部材に回動可能に結合して電気的に接続される回動部材とを含む。【選択図】  図１
2006004945.tif 000002
【特許請求の範囲】
【請求項１】
第１本体と第２本体間のヒンジ部の内部に固定される固定部材と、
前記ヒンジ部の内部に設置され、前記固定部材に回動可能に結合して電気的に接続される回動部材と、
を含むことを特徴とする移動通信端末機の回路接続装置。
【請求項２】
前記固定部材と前記第１本体の第１ＰＣＢとを電気的に接続する第１ＦＰＣＢをさらに含むことを特徴とする請求項１に記載の移動通信端末機の回路接続装置。
【請求項３】
前記回動部材と前記第２本体の第２ＰＣＢとを電気的に接続する第２ＦＰＣＢをさらに含むことを特徴とする請求項１に記載の移動通信端末機の回路接続装置。
【請求項４】
前記固定部材が、
一方側に収容空間を有するハウジングと、
前記ハウジングの収容空間の内部に設置され、両面に回路パターンが形成されたディスクと、
前記ハウジングとディスクとを電気的に接続し、前記ハウジングの収容空間の内部に設置されて前記ディスクを付勢するインターコネクタとを含むことを特徴とする請求項１に記載の移動通信端末機の回路接続装置。
【請求項５】
前記回動部材が、
回動可能に連続して結合し、一方側面に収容空間を有し、他方側面に複数の接点が形成された複数のハウジングと、
前記各ハウジングの収容空間の内部に配置され、両面に回路パターンが形成されたディスクと、
前記ハウジングの接点と前記ディスクとを電気的に接続し、前記ハウジングの内部に設置されて前記ディスクを付勢するインターコネクタとを含むことを特徴とする請求項１に記載の移動通信端末機の回路接続装置。
【請求項６】
前記回動部材が、順次に、前記固定部材に回動可能に結合する第１回動部と、前記第１回動部に回動可能に結合する第２回動部と、前記第２回動部に回動可能に結合する第３回動部と、前記第３回動部に回動可能に結合する第４回動部と、前記第４回動部に回動可能に結合して前記第２本体に固定される第５回動部とを含むことを特徴とする請求項５に記載の移動通信端末機の回路接続装置。
【請求項７】
前記第１回動部の各接点が、前記固定部材のハウジングの内部に設置された前記ディスクの回路パターンに接触し、前記２回動部ないし第５回動部の各接点が、それぞれ対応する回路パターンに接触することを特徴とする請求項６に記載の移動通信端末機の回路接続装置。
【請求項８】
前記第２ＦＰＣＢが、前記第５回動部と前記第２本体の第２ＰＣＢとを電気的に接続することを特徴とする請求項６に記載の移動通信端末機の回路接続装置。
【請求項９】
使用者が第２本体を開閉するとき、前記第５回動部、第４回動部、第３回動部、第２回動部、第１回動部が順次に３０度ずつ連続して回動することを特徴とする請求項６に記載の移動通信端末機の回路接続装置。
【請求項１０】
使用者が第２本体を開閉するとき、前記第５回動部、第４回動部、第３回動部、第２回動部、第１回動部が連続して順次回動するように、前記第１回動部ないし第５回動部の各ハウジングに係止突条と係止溝が対応して形成されることを特徴とする請求項９に記載の移動通信端末機の回路接続装置。
【請求項１１】
前記固定部材が、環状であることを特徴とする請求項１に記載の移動通信端末機の回路接続装置。
【請求項１２】
前記回動部材が、環状であることを特徴とする請求項１に記載の移動通信端末機の回路接続装置。
【請求項１３】
第１本体と、
前記第１本体の一方側にヒンジ部を介して回動可能に結合される第２本体と、
前記ヒンジ部の内部に固定される固定部材と、
前記ヒンジ部の内部に設置され、前記固定部材に回動可能に結合して電気的に接続される回動部材と、
前記固定部材と前記第１本体の第１ＰＣＢとを電気的に接続する第１ＦＰＣＢと、
前記回動部材と前記第２本体の第２ＰＣＢとを電気的に接続する第２ＦＰＣＢと、
を含むことを特徴とする回路接続装置を備えた移動通信端末機。
【請求項１４】
前記固定部材が、
一方側に収容空間を有するハウジングと、
前記ハウジングの内部に設置され、両面に回路パターンが形成されたディスクと、
前記ハウジングとディスクとを電気的に接続し、前記ハウジングの収容空間の内部に設置されて前記ディスクを付勢するインターコネクタとを含むことを特徴とする請求項１３に記載の回路接続装置を備えた移動通信端末機。
【請求項１５】
前記回動部材が、
回動可能に連続して結合し、一方側面に複数の接点が形成され、他方側面に収容空間が形成された複数のハウジングと、
前記各ハウジングの収容空間の内部に設置され、両面に回路パターンが形成されたディスクと、
前記ハウジングと前記ディスクとを電気的に接続し、前記ハウジングの収容空間の内部に設置されて前記ディスクを付勢するインターコネクタとを含むことを特徴とする請求項１３に記載の回路接続装置を備えた移動通信端末機。
【請求項１６】
前記回動部材が、順次に、前記固定部材に回動可能に結合する第１回動部と、前記第１回動部に回動可能に結合する第２回動部と、前記第２回動部に回動可能に結合する第３回動部と、前記第３回動部に回動可能に結合する第４回動部と、前記第４回動部に回動可能に結合して前記第２本体に固定される第５回動部とを含むことを特徴とする請求項１５に記載の回路接続装置を備えた移動通信端末機。
【請求項１７】
前記第１回動部の各接点が、前記固定部材のハウジングの内部に設置された前記ディスクの回路パターンに接触し、前記２回動部ないし第５回動部の接点が、それぞれ対応する回路パターンに接触することを特徴とする請求項１６に記載の回路接続装置を備えた移動通信端末機。
【請求項１８】
前記第２ＦＰＣＢが、前記回動部材と前記第２本体の第２ＰＣＢとを電気的に接続することを特徴とする請求項１６に記載の回路接続装置を備えた移動通信端末機。
【請求項１９】
使用者が第２本体を開閉するとき、前記第５回動部、第４回動部、第３回動部、第２回動部、第１回動部が順次に３０度ずつ連続して回動することを特徴とする請求項１６に記載の回路接続装置を備えた移動通信端末機。
【請求項２０】
使用者が第２本体を開閉するとき、前記第５回動部、第４回動部、第３回動部、第２回動部、第１回動部が連続して順次回動するように、前記第１回動部ないし第５回動部の各ハウジングには係止突条と係止溝が備えられることを特徴とする請求項１９に記載の回路接続装置を備えた移動通信端末機。
【請求項２１】
前記固定部材が、環状であることを特徴とする請求項１３に記載の回路接続装置を備えた移動通信端末機。
【請求項２２】
前記回動部材が、環状であることを特徴とする請求項１３に記載の回路接続装置を備えた移動通信端末機。
【請求項２３】
前記係止突条が、前記係止溝に揺動可能に結合されることを特徴とする請求項２０に記載の回路接続装置を備えた移動通信端末機。
【発明の詳細な説明】
【技術分野】
【０００１】
本発明は、移動通信端末機の回路接続装置及びその回路接続装置を備えた移動通信端末機に関し、特に、第１本体と第２本体間のヒンジ部の内部の回路接続構造を改善した移動通信端末機の回路接続装置及びその回路接続装置を備えた移動通信端末機に関する。
【背景技術】
【０００２】
図６は、従来の移動通信端末機を示す斜視図で、図７は、図６の移動通信端末機のヒンジ部のフレキシブルプリント基板（Ｆｌｅｘｉｂｌｅ  ｐｒｉｎｔ  ｃｉｒｃｕｉｔ  ｂｏａｒｄ：  以下、ＦＰＣＢという）の設置構造を示す内部透視図で、図８は、図６の移動通信端末機のＦＰＣＢを示す斜視図である。
【０００３】
図示されたように、従来の移動通信端末機１０は、複数の選択ボタン１１、その選択ボタン１１と電気的に接続する第１ＰＣＢ１２が備えられた第１本体１３と、第１本体１３の一方側にヒンジ部１４を介して開閉できるように回動可能に設置され、ディスプレイ部１５が備えられた第２本体１６とからなる。
【０００４】
また、ヒンジ部１４の内部には、第２本体１６の内部に設置された第２ＰＣＢ（図示せず）と第１本体１３の内部に設置された第１ＰＣＢ１２とを電気的に接続するＦＰＣＢ１７が設置されている。
【０００５】
図８に示すように、ＦＰＣＢ１７は、使用者が第２本体を開閉するとき、折り曲げ領域IIにおいて反りと引張りが複合的に発生し、ねじれ距離ｄとねじれ幅ｗで表示されたねじれ領域IIIにおいてねじれが発生し、ヒンジ部１４と接触する領域IVにおいて切断が発生する。
【０００６】
また、第２本体１６が９０度以上開いた状態で、ＦＰＣＢ１７のストレス（ｓｔｒｅｓｓ）はゼロであるが、閉じた状態では、ＦＰＣＢ１７のストレスが非常に大きくなるため、ＦＰＣＢ１７に損傷が発生しやすくなる。
【０００７】
このように従来の移動通信端末機は、使用者が第２本体を開閉するときにＦＰＣＢにねじれ、反り、引張り、切断が発生するため、移動通信端末機を長時間使用すると、ＦＰＣＢに損傷が発生しやすいという問題点があった。
【発明の開示】
【発明が解決しようとする課題】
【０００８】
従って、発明の目的は、第１本体と第２本体間のヒンジ部内部の回路接続構造を改善してＦＰＣＢの破損又は損傷を防止することにより、製品の信頼性を確保することができる移動通信端末機の回路接続装置及びその回路接続装置を備えた移動通信端末機を提供することにある。
【課題を解決するための手段】
【０００９】
このような目的を達成するために本発明に係る移動通信端末機の回路接続装置は、第１本体と第２本体間のヒンジ部の内部に固定される固定部材と、前記ヒンジ部の内部に設置され、前記固定部材に回動可能に結合して電気的に接続される回動部材と、を含むことを特徴とする。
【００１０】
前記固定部材は、一方側に収容空間を有するハウジングと、前記ハウジングの収容空間の内部に設置され、両面に回路パターンが形成されたディスクと、前記ハウジングとディスクとを電気的に接続し、前記ハウジングの収容空間の内部に設置されて前記ディスクを付勢するインターコネクタとを含む。
【００１１】
前記回動部材は、回動可能に連続して結合し、一方側面に収容空間を有し、他方側面に複数の接点が形成された複数のハウジングと、前記各ハウジングの収容空間の内部に設置され、両面に回路パターンが形成されたディスクと、前記ハウジングの接点と前記ディスクとを電気的に接続し、前記ハウジングの内部に設置されて前記ディスクを付勢するインターコネクタとを含む。
【００１２】
前記回動部材は、順次に、前記固定部材に回動可能に結合する第１回動部と、前記第１回動部に回動可能に結合する第２回動部と、前記第２回動部に回動可能に結合する第３回動部と、前記第３回動部に回動可能に結合する第４回動部と、前記第４回動部に回動可能に結合して前記第２本体に固定される第５回動部とを含む。
【００１３】
前記第１回動部の各接点が、前記固定部材のハウジングの内部に設置された前記ディスクの回路パターンに接触し、前記第２回動部ないし第５回動部の各接点が、それぞれ対応する回路パターンに接触する。
【００１４】
前記第２ＦＰＣＢは、前記第５回動部と前記第２本体の第２ＰＣＢとを電気的に接続する。
【００１５】
使用者が第２本体を開閉するとき、前記第５回動部、第４回動部、第３回動部、第２回動部、第１回動部が順次に３０度ずつ連続して回動する。
【００１６】
使用者が第２本体を開閉するとき、前記第５回動部、第４回動部、第３回動部、第２回動部、第１回動部が連続して順次回動するように、前記第１回動部ないし第５回動部の各ハウジングに係止突条と係止溝が対応して形成される。
【００１７】
上記目的を達成するために、本発明は、例えば、以下の手段を提供する。
（項目１）
第１本体と第２本体間のヒンジ部の内部に固定される固定部材と、
前記ヒンジ部の内部に設置され、前記固定部材に回動可能に結合して電気的に接続される回動部材と、
を含むことを特徴とする移動通信端末機の回路接続装置。
（項目２）
前記固定部材と前記第１本体の第１ＰＣＢとを電気的に接続する第１ＦＰＣＢをさらに含むことを特徴とする項目１に記載の移動通信端末機の回路接続装置。
（項目３）
前記回動部材と前記第２本体の第２ＰＣＢとを電気的に接続する第２ＦＰＣＢをさらに含むことを特徴とする項目１に記載の移動通信端末機の回路接続装置。
（項目４）
前記固定部材が、
一方側に収容空間を有するハウジングと、
前記ハウジングの収容空間の内部に設置され、両面に回路パターンが形成されたディスクと、
前記ハウジングとディスクとを電気的に接続し、前記ハウジングの収容空間の内部に設置されて前記ディスクを付勢するインターコネクタとを含むことを特徴とする項目１に記載の移動通信端末機の回路接続装置。
（項目５）
前記回動部材が、
回動可能に連続して結合し、一方側面に収容空間を有し、他方側面に複数の接点が形成された複数のハウジングと、
前記各ハウジングの収容空間の内部に配置され、両面に回路パターンが形成されたディスクと、
前記ハウジングの接点と前記ディスクとを電気的に接続し、前記ハウジングの内部に設置されて前記ディスクを付勢するインターコネクタとを含むことを特徴とする項目１に記載の移動通信端末機の回路接続装置。
（項目６）
前記回動部材が、順次に、前記固定部材に回動可能に結合する第１回動部と、前記第１回動部に回動可能に結合する第２回動部と、前記第２回動部に回動可能に結合する第３回動部と、前記第３回動部に回動可能に結合する第４回動部と、前記第４回動部に回動可能に結合して前記第２本体に固定される第５回動部とを含むことを特徴とする項目５に記載の移動通信端末機の回路接続装置。
（項目７）
前記第１回動部の各接点が、前記固定部材のハウジングの内部に設置された前記ディスクの回路パターンに接触し、前記２回動部ないし第５回動部の各接点が、それぞれ対応する回路パターンに接触することを特徴とする項目６に記載の移動通信端末機の回路接続装置。
（項目８）
前記第２ＦＰＣＢが、前記第５回動部と前記第２本体の第２ＰＣＢとを電気的に接続することを特徴とする項目６に記載の移動通信端末機の回路接続装置。
（項目９）
使用者が第２本体を開閉するとき、前記第５回動部、第４回動部、第３回動部、第２回動部、第１回動部が順次に３０度ずつ連続して回動することを特徴とする項目６に記載の移動通信端末機の回路接続装置。
（項目１０）
使用者が第２本体を開閉するとき、前記第５回動部、第４回動部、第３回動部、第２回動部、第１回動部が連続して順次回動するように、前記第１回動部ないし第５回動部の各ハウジングに係止突条と係止溝が対応して形成されることを特徴とする項目９に記載の移動通信端末機の回路接続装置。
（項目１１）
前記固定部材が、環状であることを特徴とする項目１に記載の移動通信端末機の回路接続装置。
（項目１２）
前記回動部材が、環状であることを特徴とする項目１に記載の移動通信端末機の回路接続装置。
（項目１３）
第１本体と、
前記第１本体の一方側にヒンジ部を介して回動可能に結合される第２本体と、
前記ヒンジ部の内部に固定される固定部材と、
前記ヒンジ部の内部に設置され、前記固定部材に回動可能に結合して電気的に接続される回動部材と、
前記固定部材と前記第１本体の第１ＰＣＢとを電気的に接続する第１ＦＰＣＢと、
前記回動部材と前記第２本体の第２ＰＣＢとを電気的に接続する第２ＦＰＣＢと、
を含むことを特徴とする回路接続装置を備えた移動通信端末機。
（項目１４）
前記固定部材が、
一方側に収容空間を有するハウジングと、
前記ハウジングの内部に設置され、両面に回路パターンが形成されたディスクと、
前記ハウジングとディスクとを電気的に接続し、前記ハウジングの収容空間の内部に設置されて前記ディスクを付勢するインターコネクタとを含むことを特徴とする項目１３に記載の回路接続装置を備えた移動通信端末機。
（項目１５）
前記回動部材が、
回動可能に連続して結合し、一方側面に複数の接点が形成され、他方側面に収容空間が形成された複数のハウジングと、
前記各ハウジングの収容空間の内部に設置され、両面に回路パターンが形成されたディスクと、
前記ハウジングと前記ディスクとを電気的に接続し、前記ハウジングの収容空間の内部に設置されて前記ディスクを付勢するインターコネクタとを含むことを特徴とする項目１３に記載の回路接続装置を備えた移動通信端末機。
（項目１６）
前記回動部材が、順次に、前記固定部材に回動可能に結合する第１回動部と、前記第１回動部に回動可能に結合する第２回動部と、前記第２回動部に回動可能に結合する第３回動部と、前記第３回動部に回動可能に結合する第４回動部と、前記第４回動部に回動可能に結合して前記第２本体に固定される第５回動部とを含むことを特徴とする項目１５に記載の回路接続装置を備えた移動通信端末機。
（項目１７）
前記第１回動部の各接点が、前記固定部材のハウジングの内部に設置された前記ディスクの回路パターンに接触し、前記２回動部ないし第５回動部の接点が、それぞれ対応する回路パターンに接触することを特徴とする項目１６に記載の回路接続装置を備えた移動通信端末機。
（項目１８）
前記第２ＦＰＣＢが、前記回動部材と前記第２本体の第２ＰＣＢとを電気的に接続することを特徴とする項目１６に記載の回路接続装置を備えた移動通信端末機。
（項目１９）
使用者が第２本体を開閉するとき、前記第５回動部、第４回動部、第３回動部、第２回動部、第１回動部が順次に３０度ずつ連続して回動することを特徴とする項目１６に記載の回路接続装置を備えた移動通信端末機。
（項目２０）
使用者が第２本体を開閉するとき、前記第５回動部、第４回動部、第３回動部、第２回動部、第１回動部が連続して順次回動するように、前記第１回動部ないし第５回動部の各ハウジングには係止突条と係止溝が備えられることを特徴とする項目１９に記載の回路接続装置を備えた移動通信端末機。
（項目２１）
前記固定部材が、環状であることを特徴とする項目１３に記載の回路接続装置を備えた移動通信端末機。
（項目２２）
前記回動部材が、環状であることを特徴とする項目１３に記載の回路接続装置を備えた移動通信端末機。
（項目２３）
前記係止突条が、前記係止溝に揺動可能に結合されることを特徴とする項目２０に記載の回路接続装置を備えた移動通信端末機。
【発明の効果】
【００１８】
本発明は、第１本体と第２本体間のヒンジ部内部の回路接続構造を改善することにより、ＦＰＣＢの破損又は損傷を防止し、よって、製品に対する信頼性を確保することができるという効果がある。
【発明を実施するための最良の形態】
【００１９】
以下、図面を参照して本発明に係る移動通信端末機の回路接続装置及びその回路接続装置を備えた移動通信端末機を説明する。
【００２０】
図１は、本発明に係る移動通信端末機を示す内部透視図で、図２は、図１の移動通信端末機における回路接続装置を結合した状態を示す斜視図で、図３は、図１の移動通信端末機における回路接続装置を分離した状態を示す斜視図で、図４は、図１の移動通信端末機における回路接続装置の固定部材を分離した状態を示す斜視図で、図５は、図１の移動通信端末機における回路接続装置の回動部材を分離した状態を示す斜視図である。
【００２１】
図示されたように、本発明に係る回路接続装置を備えた移動通信端末機１００は、第１本体１１０と、ヒンジ部１３０を介して第１本体１１０の一方側に開閉可能に結合される第２本体１２０と、ヒンジ部１３０の内部に設置され、第１本体１１０の第１ＰＣＢ１１１と第２本体１２０の第２ＰＣＢ（図示せず）とを電気的に接続する回路接続装置２００とを備える。
【００２２】
本発明に係る移動通信端末機の回路接続装置２００は、第１本体１１０と第２本体１２０間のヒンジ部１３０の内部に固定される固定部材２１０と、ヒンジ部１３０の内部に設置され、固定部材２１０に回動可能に結合して電気的に接続される回動部材２２０と、固定部材２１０と第１本体１１０の第１ＰＣＢ１１１とを電気的に接続する第１ＦＰＣＢ２３０と、回動部材２２０と第２本体１２０の第２ＰＣＢ１２１とを電気的に接続する第２ＦＰＣＢ２４０とを含む。
【００２３】
回動部材２２０の円滑な回動のために固定部材２１０と回動部材２２０は環状に形成されることが好ましい。
【００２４】
固定部材２１０はヒンジ部１３０に固定され、回動部材２２０は回動可能に固定部材２１０と結合する。回動部材２２０は、回動しても固定部材２１０との電気的な接続が維持される。
【００２５】
以下、固定部材及び回動部材の構成を説明する。
【００２６】
まず、固定部材２１０は、一方側に収容空間２１２を有し、その収容空間２１２の内周に係止溝２２１ｄが形成されたハウジング２１１と、ハウジング２１１の収容空間２１２の内部に設置され、両面に回路パターン２１４が形成されたディスク２１３と、ハウジング２１１とディスク２１３とを電気的に接続し、ハウジング２１１の収容空間２１２の内部に設置されてディスク２１３を付勢するインターコネクタ２１５とを備える。
【００２７】
回動部材２２０は、回動可能に連続して結合して、一方側面に収容空間２２２が形成され、他方側面に複数の接点２２１ａが形成された複数のハウジング２２１と、各ハウジング２２１の収容空間２２２の内部に設置され、両面に回路パターン２２４が形成されたディスク２２３と、ハウジング２２１の接点２２１ａとディスク２２３とを電気的に接続し、ハウジング２２１の内部に設置されてディスク２２３を付勢するインターコネクタ２２５とから構成される。
【００２８】
ここで、固定部材２１０のインターコネクタ２１５は、ディスク２１３の各回路パターン２１４とハウジング２１０の接点２２１ａとを電気的に接続すると共に、ディスク２１３の回路パターン２１４を接点２２１ａ側に付勢することにより、ディスク２１５の回路パターン２１４と接点２２１ａとの接触を常に弾力的に維持させる。
【００２９】
また、回動部材２２０のインターコネクタ２２５は、ディスク２２３の各回路パターン２２４とハウジング２２０の各接点２２１ａとを電気的に接続すると共に、ディスク２２３の回路パターン２２４を接点２２１ａ側に付勢することにより、ディスク２２５の回路パターン２２４と接点２２１ａとの接触を常に弾力的に維持させる。
【００３０】
回動部材２２０は、複数の構成部品、例えば、５つの構成部品から構成される。
【００３１】
回動部材２２０を複数の部品から構成する理由は、固定部材２１０と回動部材２２０との電気的な接続を維持すると同時に、第２本体１２０の回動時に回動部材２２０が円滑に回動することを可能にするためである。
【００３２】
回動部材２２０は、順次に、固定部材２１０に回動可能に結合される第１回動部２２０ａと、第１回動部２２０ａに回動可能に結合される第２回動部２２０ｂと、第２回動部２２０ｂに回動可能に結合される第３回動部２２０ｃと、第３回動部２２０ｃに回動可能に結合される第４回動部２２０ｄと、第４回動部２２０ｄに回動可能に結合される第５回動部２２０ｅとからなる。
【００３３】
ここで、第１回動部２２０ａないし第５回動部２２０ｅの同一部品には同一符号を付けて説明する。
【００３４】
第１回動部２２０ａの各接点２２１ａは、固定部材２１０のハウジング２１１の内部に設置されたディスク２１３の回路パターン２１４に接触し、第２回動部２２０ｂないし第５回動部２２０ｅの各接点２２１ａは、隣接して対応する回路パターン２２４にそれぞれ接触する。
【００３５】
使用者が第２本体１２０を開閉するとき、第５回動部２２０ｅ、第４回動部２２０ｄ、第３回動部２２０ｃ、第２回動部２２０ｂ、第１回動部２２０ａは、順次に３０度ずつ連続して回動する。
【００３６】
使用者が第２本体１２０を開閉するとき、第５回動部２２０ｅ、第４回動部２２０ｄ、第３回動部２２０ｃ、第２回動部２２０ｂ、第１回動部２２０ａが連続して順次回動するように、第１回動部２２０ａないし第５回動部２２０ｅの各ハウジング２２１には係止突条２２１ｂと係止溝２２１ｃが互いに対応して形成されている。ここで、第２回動部２２０ｂ、第３回動部２２０ｃ、第４回動部２２０ｄは、それぞれ係止突条２２１ｂと係止溝２２１ｃが両方側に形成されているが、第１回動部２２０ａは、一方側に係止溝２２１ｄのみが形成され、第５回動部２２０ｅは、一方側に係止突条２２１ｂのみが形成されている。
【００３７】
第１回動部２２０ａの係止突条２２１ｂは、固定部材２１０の係止溝２２１ｄに揺動可能に結合される。従って、使用者が第２本体１２０を開閉するとき、回動部材２２０も第２本体１２０の開閉角度だけ円滑に回動する。
【００３８】
第１ＦＰＣＢ２３０は、固定部材２１０と第１ＰＣＢ１１１とを電気的に接続し、第２ＦＰＣＢ２４０は、回動部材２２０、正確には第５回動部２２０ｅと第２本体１２０の第２ＰＣＢ（図示せず）とを電気的に接続する。
【００３９】
以下、このように構成された本発明に係る移動通信端末機の回路接続装置の作用を説明する。
【００４０】
使用者が第２本体１２０を開けると、第２本体１２０に固定された第５回動部２２０ｅが回動する。
【００４１】
このとき、第１回動部２２０ａないし第５回動部２２０ｅの各ハウジング２２１には係止突条２２１ｂと係止溝２２１ｃが互いに対応して形成されているので、第５回動２２０ｅ、第４回動部２２０ｄ、第３回動部２２０ｃ、第２回動部２２０ｂ、第１回動部２２０ａがそれぞれ３０度ずつ連続して回動することにより、第２本体１２０が１５０度開く。
【００４２】
このとき、固定部材２１０のハウジング２１１の収容空間２１２に備えられたインターコネクタ２１５によりディスク２１３の回路パターン２１４と接点２２１ａとの弾力的な接触状態が維持され、同時に、回動部材２２０のハウジング２２１の収容空間２２２に備えられたインターコネクタ２２５によりディスク２２３の回路パターン２２４と接点２２１ａとの弾力的な接触状態が維持されるため、固定部材２１０と回動部材２２０とは、常に電気的に接続した状態を維持する。従って、電気信号は、第１ＰＣＢ１１１に接続した第１ＦＰＣＢ２３０、固定部材２１０、回動部材２２０、第２ＦＰＣＢ２４０、第２本体１２０の第２ＰＣＢ（図示せず）に伝送される。
【００４３】
反対に、使用者が第２本体１２０を閉じると、前述した動作と同様の方法により、第２本体１２０に固定された第５回動部２２０ｅないし第１回動部２２０ａが逆に回動して第２本体１２０が１５０度閉じられる。
【００４４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４５】
第１本体と第２本体間のヒンジ部内部の回路接続構造を改善してＦＰＣＢの破損又は損傷を防止することにより、製品に対する信頼性を確保することができる移動通信端末機の回路接続装置及びその回路接続装置を備えた移動通信端末機を提供する。
【００４６】
移動通信端末機の回路接続装置は、第１本体と第２本体間のヒンジ部の内部に固定される固定部材と、前記ヒンジ部の内部に設置され、前記固定部材に回動可能に結合して電気的に接続される回動部材とを含む。
【図面の簡単な説明】
【００４７】
【図１】本発明に係る移動通信端末機の内部透視図である。
【図２】図１の移動通信端末機における回路接続装置を結合した状態を示す斜視図である。
【図３】図１の移動通信端末機における回路接続装置を分離した状態を示す斜視図である。
【図４】図１の移動通信端末機における回路接続装置の固定部材を分離した状態を示す斜視図である。
【図５】図１の移動通信端末機における回路接続装置の回動部材を分離した状態を示す斜視図である。
【図６】従来の移動通信端末機を示す斜視図である。
【図７】図６の移動通信端末機におけるヒンジ部のＦＰＣＢの設置構造を示す内部透視図である。
【図８】図６の移動通信端末機におけるＦＰＣＢを示す斜視図である。
【符号の説明】
【００４８】
１１０：第１本体
１２０：第２本体
１３０：ヒンジ部
２００：回路接続装置
２１０：固定部材
２１１：ハウジング
２１２：収容空間
２１３：ディスク
２１４：回路パターン
２１５：インターコネクタ
２２０：回動部材
２２０ａ：第１回動部
２２０ｂ：第２回動部
２２０ｃ：第３回動部
２２０ｄ：第４回動部
２２０ｅ：第５回動部
２２２：収容空間
２２１：ハウジング
２２１ａ：接点
２２１ｂ：係止突条
２２１ｃ、２２１ｄ：係止溝
２２２：収容空間
２２３：ディスク
２２４：回路パターン
２２５：インターコネクタ
２３０：第１ＦＰＣＢ
２４０：第２ＦＰＣＢ
【図１】
2006004945.tif 000003
【図２】
2006004945.tif 000004
【図３】
2006004945.tif 000005
【図４】
2006004945.tif 000006
【図５】
2006004945.tif 000007
【図６】
2006004945.tif 000008
【図７】
2006004945.tif 000009
【図８】
2006004945.tif 000010